(57)【要約】【課題】風圧が作用しても撓みや捻れが生じにくい障子を備えた建具を提供する。【解決手段】屋内外の境界に開口を形成する枠体に設けられ屋内外を仕切る少なくとも１枚の障子を有する建具であって、障子は、面材と、面材の四周に設けられる４本の框により組まれた框体と、を有し、４本の框のうちの、枠体と長手方向に沿って係合しない部分係合框は、長手方向に連通する中空部を有する合成樹脂製の框本体と、框本体の屋内側に設けられ、框本体との間に空間を形成するカバー部材と、空間内に設けられカバー部材を係止するアルミニウム製のカバー係止部材と、カバー係止部材より高い剛性を備え中空部内に長手方向に沿って設けられる第１補強部材と、カバー係止部材より高い剛性を備え、空間内においてカバー係止部材の屋内側に長手方向に沿って設けられカバー係止部材とともに第１補強部材と連結される第２補強部材と、を備えている。【選択図】図３
2014167214.tif 000002
【特許請求の範囲】
【請求項１】
屋内外の境界に開口を形成する枠体と、
前記枠体に設けられ前記屋内外を仕切る少なくとも１枚の障子と、
を有する建具であって、
前記障子は、面材と、前記面材の四周に設けられる４本の框により組まれた框体と、を有し、
前記４本の框のうちの、前記枠体と長手方向に沿って係合しない部分係合框は、
前記長手方向に連通する中空部を有する合成樹脂製の框本体と、
前記框本体の屋内側に設けられ、前記框本体との間に空間を形成するカバー部材と、
前記空間内に設けられ前記カバー部材を係止するアルミニウム製のカバー係止部材と、
前記カバー係止部材より高い剛性を備え前記中空部内に前記長手方向に沿って設けられる第１補強部材と、
前記カバー係止部材より高い剛性を備え、前記空間内において前記カバー係止部材の屋内側に前記長手方向に沿って設けられ前記カバー係止部材とともに前記第１補強部材と連結される第２補強部材と、
を備えていることを特徴とする建具。
【請求項２】
請求項１に記載の建具であって、
前記部分係合框には、前記面材の周縁部を収容する面材収容部が前記中空部と見付け方向に並ぶように形成し、
前記第２補強部材は、前記部分係合框の屋内側にて、当該部分係合框の、前記中空部を形成する部位と前記面材収容部を形成する部位とに跨るとともに対向するように設けられていることを特徴とする建具。
【請求項３】
請求項１または請求項２に記載の建具であって、
前記第２補強部材は、見付け方向に沿う見付け方向壁部と、前記見付け方向壁部の両端部から見込み方向に沿って延出された見込み方向壁部とを有し、
前記見付け方向壁部は、前記框本体と見込み方向に間隔を隔てて配置され、前記見込み方向壁部は、その先端が前記カバー係止部材に当接されていることを特徴とする建具。
【請求項４】
請求項１乃至請求項３のいずれかに記載の建具であって、
前記部分係合框は、前記４本の框のうちの、前記面材の上下の縁に設けられた上框及び下框と、互いの端部を斜めに切断した小口を突き合わせて溶着されており、
前記第１補強部材は、溶着された接合部に至ることなく前記中空部内に設けられており、
前記第２補強部材は、前記上框及び前記下框に跨るように設けられていることを特徴とする建具。
【発明の詳細な説明】
【技術分野】
【０００１】
本発明は、屋内外を仕切る障子を有する建具に関する。
【背景技術】
【０００２】
屋内外を仕切る障子を有する建具としては、例えば、建物の屋内外を連通する開口を形成する枠体に見付け方向に沿って移動可能に支持され、開口を閉塞可能な２枚の障子を有する建具が知られている（例えば、特許文献１参照）。この建具の枠体を形成する上枠、下枠、縦枠は同一の断面形状をなす合成樹脂製の押出成形部材であり、障子を形成する上框、下框、戸先框は同一の断面形状をなす合成樹脂製の押出成形部材である。そして、開口を閉塞するように障子が閉じられた状態では、上枠、下枠、縦枠から開口の内周側に突出された突出部が、上框、下框、戸先框に設けられ障子の外周側に向かって開放された溝部に挿入されている。
【先行技術文献】
【特許文献】
【０００３】
【特許文献１】特開２０１０−２６５６４６号公報
【発明の概要】
【発明が解決しようとする課題】
【０００４】
上記のような建具の障子が、枠体が形成する開口を閉塞しているときには、上框、下框、戸先框の溝部に枠体の突出部が各框の全域に渡って挿入されているので、障子に風圧等が作用したとしても、上框、下框、戸先框は枠体の突出部により見込み方向への移動が規制されて撓みや捻れが生じにくい。一方、召合せ部においては、長手方向に沿ってその全域が規制されていないので、例えば屋外側から風圧が作用すると、引き違い障子の召合せ框は、屋内側に押圧されて撓みや捻れが生じるおそれがある。このため、内障子の召合せ框内に剛性が高い補強部材を設けて補強している建具もある。しかしながら、建具の枠や框は、意匠性や採光性能を高めるためにより小さく形成される傾向がある。このため、召合せ框もより細く形成されているために、その内部は狭く、設けられる補強部材に所望の剛性を備えることが難しいという課題がある。
【０００５】
本発明は、かかる課題に鑑みてなされたものであり、その目的とするところは、風圧が作用しても撓みや捻れが生じにくい障子を備えた建具を提供することにある。
【課題を解決するための手段】
【０００６】
かかる目的を達成するために本発明の建具は、屋内外の境界に開口を形成する枠体と、前記枠体に設けられ前記屋内外を仕切る少なくとも１枚の障子と、を有する建具であって、前記障子は、面材と、前記面材の四周に設けられる４本の框により組まれた框体と、を有し、前記４本の框のうちの、前記枠体と長手方向に沿って係合しない部分係合框は、前記長手方向に連通する中空部を有する合成樹脂製の框本体と、前記框本体の屋内側に設けられ、前記框本体との間に空間を形成するカバー部材と、前記空間内に設けられ前記カバー部材を係止するアルミニウム製のカバー係止部材と、前記カバー係止部材より高い剛性を備え前記中空部内に前記長手方向に沿って設けられる第１補強部材と、前記カバー係止部材より高い剛性を備え、前記空間内において前記カバー係止部材の屋内側に前記長手方向に沿って設けられ前記カバー係止部材とともに前記第１補強部材と連結される第２補強部材と、を備えていることを特徴とする建具である。
【０００７】
このような建具によれば、部分係合框が有する中空部内に長手方向に沿って設けられる第１補強部材と、框本体の屋内側に設けられたカバー部材との間に形成された空間内に長手方向に沿って設けられた第２補強部材とが連結されているので、部分係合框の中空部内のみに補強部材が設けられている場合より、高い剛性を備えることが可能である。このため、屋内外を仕切る障子に風圧が作用しても、障子の、枠体と長手方向に沿って係合しない部分係合框に撓みや捻れが生じにくい。よって、風圧等により撓みや捻れが生じにくい障子を備えた建具を提供することが可能である。
【０００８】
また、框本体の屋内側に設けられる第２補強部材及びカバー部材を係止するカバー係止部材は、框本体とカバー部材との間の空間に設けられているので、第２補強部材が屋内側に露出しない。このとき、カバー係止部材より剛性が高い第２補強部材は、簡単な形状として部分係合框の剛性を高めるために機能させ、第２補強部材を覆うカバー部材を係止するカバー係止部材をアルミニウム製とすることによりカバー部材を係止するための好適な形状に加工することが可能となる。このため、部分係合框に高い剛性を備えるとともに優れた意匠性を備えることが可能である。すなわち、意匠性に優れ、かつ、より高い剛性の部分係合框を有する引き戸を備えた建具を提供することが可能である。
【０００９】
更に、カバー係止部材は、第２補強部材とともに第１補強部材と連結されているので、少ない組立工数にてカバー係止部材を設けることができ、確実にカバー部材を係止することが可能である。このため、意匠性に優れ、かつ、より高い剛性の部分係合框を有する引き戸を備えた建具を提供することが可能である。
【００１０】
かかる建具であって、前記部分係合框には、前記面材の周縁部を収容する面材収容部が前記中空部と見付け方向に並ぶように形成し、前記第２補強部材は、前記部分係合框の屋内側にて、当該部分係合框の、前記中空部を形成する部位と前記面材収容部を形成する部位とに跨るとともに対向するように設けられていることが望ましい。
【００１１】
面材の周縁部を収容する面材収容部には、中空部のように補強部材が設けられていないので、剛性が低くなるが、上記建具は、第２補強部材が、部分係合框の、中空部を形成する部位と面材収容部を形成する部位とに跨るとともに対向するように設けられているので、面材収容部側の剛性も高めることが可能である。
【００１２】
かかる建具であって、前記第２補強部材は、見付け方向に沿う見付け方向壁部と、前記見付け方向壁部の両端部から見込み方向に沿って延出された見込み方向壁部とを有し、前記見付け方向壁部は、前記框本体と見込み方向に間隔を隔てて配置され、前記見込み方向壁部は、その先端が前記カバー係止部材に当接されていることが望ましい。
【００１３】
このような建具によれば、第２補強部材が、見付け方向壁部の両端部から見込み方向に沿って延出された見込み方向壁部を有する形状、すなわち、コ字状をなしているので、より高い剛性を備えることが可能である。また、見付け方向壁部は、框本体と見込み方向に間隔を隔てて配置されて、第１補強部材と連結されているので、第１補強部材と第２補強部材とが連結された形状は、見込み方向の距離が長くなる。これにより断面二次モーメントが大きくなるため、第１補強部材と第２補強部材とが独立している場合より高い剛性を備えることが可能である。また、第２補強部材の見込み方向壁部はアルミニウム製のカバー係止部材に当接されて、見込み方向壁部が框本体に接触しないので、見込み方向壁部による框本体の損傷を防止することが可能である。
【００１４】
かかる建具であって、前記部分係合框は、前記４本の框のうちの、前記面材の上下の縁に設けられた上框及び下框と、互いの端部を斜めに切断した小口を突き合わせて溶着されており、前記第１補強部材は、溶着された接合部に至ることなく前記中空部内に設けられており、前記第２補強部材は、前記上框及び前記下框に跨るように設けられていることが望ましい。
【００１５】
互いの端部を斜めに切断した小口を突き合わせて溶着される部分係合框と、上框及び下框とは、互いの部材がヒーター等にて溶融された後に突き合わされて溶着されるので、中空部に設けられる第１補強部材は、部分係合框から突出することはできない。すなわち、第１補強部材は、部分係合框と上框及び下框とに跨らないので、第１補強部材だけでは、部分係合框と上框及び下框との接合部を補強することができない。上記建具は、第２補強部材が、上框及び下框に跨るように設けられているので、第１補強部材だけでは補強できない部分係合框と上框及び下框との接合部を、第２補強部材により補強することが可能である。
【発明の効果】
【００１６】
本発明によれば、風圧が作用しても撓みや捻れが生じにくい障子を備えた建具を提供することが可能である。
【図面の簡単な説明】
【００１７】
【図１】本実施形態に係る建具を屋内側から見た外観図である。
【図２】本実施形態に係る建具を示す横断面図である。
【図３】内召合せ框の横断面図である。
【図４】開口を閉じた際の内召合せ框の下端部側を屋内側から見た図である。
【図５】カバー係止部材の変形例を示す図である。
【図６】第２補強部材の変形例を示す図ある。
【発明を実施するための形態】
【００１８】
以下、本発明の一実施形態に係る建具について図面を参照して説明する。
【００１９】
本実施形態では、屋内外を仕切る障子としての内障子及び外障子を備え、図１、図２に示すような引き違い方式の建具１を例に挙げて説明する。
【００２０】
本実施形態の建具１は、引き違い方式にて移動可能な内障子３及び外障子４と、屋内外の境界に設けられて内障子３及び外障子４にて閉塞可能な開口５ｅを形成し、矩形状に枠組みされた合成樹脂製の枠体５とを有している。
【００２１】
以下の説明においては、躯体に取り付けられた建具１を屋内側から見たときに、上下となる方向を上下方向、左右となる方向を左右方向または見付け方向、屋内外方向である奥行き方向を見込み方向として示す。また、建具１を構成する各部材については、単体として説明する場合であっても、建具１が躯体に取り付けられた状態で上下方向、見付け方向、見込み方向等となる方向にて方向を特定して説明する。
【００２２】
枠体５は、合成樹脂製の４本の押出成形部材でなる上枠５ａ、下枠５ｂ、左右の縦枠５ｃ、５ｄが矩形状に枠組みされている。上枠５ａ、下枠５ｂ、及び、左右の縦枠５ｃ、５ｄは、互いに共通する断面形状をなす部位を有しており、互いの端部を斜めに切断した小口の共通する断面部分を突き合わせて溶着されている。
【００２３】
以下の説明において、建具１を構成する各部材については、矩形状をなす枠体５の面内方向における開口５ｅの中央側を内周側、開口５ｅの外側を外周側として示す。
【００２４】
内障子３及び外障子４は、上枠５ａにおいて内障子３及び外障子４が係合する係合溝及び下枠５ｂに設けられたレール６に案内されて見付け方向に移動可能に設けられている。
【００２５】
内障子３及び外障子４はいずれも、面材としての複層ガラス２と、複層ガラス２の四周に設けられる４本の框１１により矩形状に組まれた框体１０と、を有している。框体１０は、断面形状が同一で合成樹脂製の框１１が縦横２本ずつ配置され、互いの端部を斜めに切断した小口同士を突き合わせて溶着されている。
【００２６】
框体１０を構成する各框１１は、長手方向に連通する中空部１１ａを有する中空構造部１１ｂと、框体１０の内周側における屋内側の部位に、内周側に突出されて屋外側から複層ガラス２が当接されるガラス当接部１１ｃと、框体１０の内周側であって屋外側の部位に凹設され、ガラス当接部１１ｃと対向して複層ガラス２を保持するための押縁１２が装着される押縁装着部１１ｄと、を有している。また、各框１１の中空部１１ａには各々鉄製の補強部材（第１補強部材）１８が、長手方向に沿って設けられている。
【００２７】
そして、４本の框１１が矩形状に組まれた框体１０は、矩形状に繋がった中空構造部１１ｂの内周側に、見込み方向において中央より屋内側に突出されたガラス当接部１１ｃが全周に渡って形成されており、框体１０の内周部における屋外側の縁部には各框１１の長手方向に沿って設けられた溝状の押縁装着部１１ｄが全周に渡って設けられている。
【００２８】
複層ガラス２は、屋内に臨む面２ａの周縁部が框体１０のガラス当接部１１ｃに全周に渡って当接され、屋外に臨む面２ｂの周縁部が押縁１２に当接されて挟持されている。すなわち、框体１０の内周側には、ガラス当接部１１ｃと押縁１２との間に複層ガラス２の周縁部が収容される面材収容部１０ａが全周に渡って設けられている。
【００２９】
框体１０の外周側には、全周に渡って凹設された外周溝部１０ｂが形成されており、上の框１１が、上枠５ａに設けられた係合溝に係合されるとともに、下の框１１の外周溝部１０ｂに、下枠５ｂに設けられたレール６が挿入された状態で、内障子３及び外障子４が見付け方向に移動するように構成されている。また、内障子３及び外障子４にて枠体５の内周側の開口５ｅを閉塞した状態では、内障子３及び外障子４の戸先に配置される縦の框１１が、左右の縦枠５ｃ、５ｄに設けられた係合溝に係合されるとともに、内障子３及び外障子４の戸先に配置された縦の框１１の外周溝部１０ｂに、左右の縦枠５ｃ、５ｄの係合溝部内に設けられた引き寄せ片７が挿入されている。
【００３０】
内障子３と外障子４には、内障子３及び外障子４にて枠体５の内周側の開口５ｅを閉塞した状態にて、見込み方向において対向する各々の召合せ部に位置する縦の框１１に、煙返し１３と互いの框１１間をシールするシール部材１４とを一体に備える、内障子用召合せ部材１５または外障子用召合せ部材１６が設けられている。内障子用召合せ部材１５及び外障子用召合せ部材１６には、召合せ部に位置する縦の框１１の外周溝部１０ｂに嵌合される嵌合部１５ａ、１６ａが設けられており、外障子４の召合せ部に位置する縦の框１１に外障子用召合せ部材１６が嵌合された状態が外障子４の召合せ框（外召合せ框）１７であり、内障子３の召合せ部に位置する縦の框１１に内障子用召合せ部材１５が嵌合された状態が内障子３の召合せ框（内召合せ框）２０である。
【００３１】
内障子３及び外障子４を開いた状態において内障子３及び外障子４の上下方向に沿って配置される框１１、すなわち戸先框及び召合せ框が、４本の框１１のうちで枠体５と長手方向に沿って係合していない框１１となるが、本実施形態においては、内障子３及び外障子４を閉じた状態において、枠体５と長手方向に沿って係合しない内召合せ框２０及び外召合せ框１７のうちの内召合せ框２０に、後述する第２補強部材２１が設けられている。すなわち、本実施形態においては、内障子３の内召合せ框２０が部分係合框に相当する。
【００３２】
外召合せ框１７と対向する内召合せ框２０は、屋内側に、鉄製の補強部材（第２補強部材）２１と、第２補強部材２１を屋内側から覆うカバー部材２２と、カバー部材２２を框１１に取り付けるためにカバー部材２２が係止されるカバー係止部材２３とが設けられている。ここで、内障子３の召合せ部に位置する縦の框１１が、長手方向に連通する中空部１１ａを有する框本体に相当する。以下の説明では、内障子３の召合せ部に位置する縦の框１１を框本体２５と称する。
【００３３】
図３に示すように、第１補強部材１８は、框本体２５の中空部１１ａを形成し、見付け方向に沿う屋内側及び屋外側の内面２５ａに沿って配置される一対の対向壁部１８ａ、１８ｂと、一対の対向壁部１８ａ、１８ｂの内周側の縁を繋ぐ連結壁部１８ｃと、が一体をなすような、框体１０の外周側に開放された平面視コ字状をなしている。第１補強部材１８の一対の対向壁部１８ａ、１８ｂのうちの屋内側に配置される対向壁部１８ａには、第２補強部材２１を固定する皿ビス３０が螺合されるビスホール（不図示）が設けられている。
【００３４】
第１補強部材１８は、框本体２５の長手方向に沿ってほぼ全長に渡って設けられているが、框本体２５の端部２５ｂが上下に位置する上框１１及び下框１１、と溶着される際に、框本体２５の端部２５ｂに当接されるヒーターが接触しないように、図４に示すように、框本体２５から突出しない長さに形成されている。すなわち、第１補強部材１８は、框本体２５と上框１１及び下框１１とが溶着された接合部に至ることなく框本体２５の中空部１１ａに設けられている。
【００３５】
第２補強部材２１は、図３に示すように、見付け方向に沿う見付け方向壁部２１ａと、見付け方向壁部２１ａの見付け方向における両端部から見込み方向に沿って延出された見込み方向壁部２１ｂとを有しており、屋外側に開放された平面視コ字状をなしている。すなわち、見付け方向壁部２１ａは、框本体２５と見込み方向に間隔を隔てて配置される。第２補強部材２１の見付け方向の幅は、框本体２５に設けられて第１補強部材１８が収容されている中空部１１ａの見付け方向の幅より広く形成されている。そして、第２補強部材２１は、框本体２５の屋内側にて、框本体２５に設けられている中空部１１ａを形成する部位と、中空部１１ａと見付け方向に並ぶように形成された面材収容部１０ａを形成する部位としてのガラス当接部１１ｃに跨るとともに対向するように配置されている。すなわち、第２補強部材２１は、面材収容部１０ａと見込み方向に重なるように設けられている。第２補強部材２１の見付け方向壁部２１ａには、当該第２補強部材２１を第１補強部材１８と連結するための皿ビス３０が貫通される貫通孔（不図示）が、第１補強部材１８に設けられたビスホールと位置を合わせて設けられている。
【００３６】
第２補強部材２１は、框本体２５の長手方向に沿ってほぼ全長に渡って框本体２５の屋内側に設けられている。そして、図４に示すように、框本体２５の中空部１１ａの外側に配置されて、框本体２５の端部２５ｂを越え、溶着されている内召合せ框２０と上框１１及び下框１１とに跨るように配置されている。
【００３７】
框本体２５と第２補強部材２１との間には、カバー係止部材２３が設けられている。カバー係止部材２３は、アルミニウム製の押出成形部材であり、第２補強部材２１と同じ長さを有し、長手方向に連通して断面がほぼ矩形状をなす中空部２３ａを有する本体部２３ｂと、本体部２３ｂの見付け方向における両側部の屋外側に偏った位置から見付け方向に延出された係止片２３ｃと、本体部２３ｂの両側部に係止片２３ｃとともに形成され長手方向に沿ってビスが螺合されるビスホール２３ｄとを有している。
【００３８】
カバー係止部材２３は、本体部２３ｂから見付け方向に延出されている２つの係止片２３ｃの両端の距離となる見付け方向の幅が、框本体２５の見付け方向の幅より僅かに狭く形成されている。カバー係止部材２３の両係止片２３ｃに第２補強部材２１の見込み方向壁部２１ｂの先端２１ｃが当接されるように、第２補強部材２１を屋内側から配置すると、カバー係止部材２３の本体部２３ｂが、第２補強部材２１の見付け方向壁部２１ａの屋外側の面に近接するように形成されている。また、カバー係止部材２３の本体部２３ｂの見付け方向の幅は、第２補強部材２１の見込み方向壁部２１ｂの間隔よりも狭く形成されており、カバー係止部材２３に設けられたビスホール２３ｄは第２補強部材２１の内側に位置するように配置される。
【００３９】
第２補強部材２１を、框本体２５の屋内側に当接されたカバー係止部材２３に屋内側から被せるように配置した状態にて、第２補強部材２１に設けられた貫通孔に挿通された皿ビス３０がカバー係止部材２３の本体部２３ｂ、及び、框本体２５の屋内側の部位を貫通して第１補強部材１８に設けられたビスホールに螺合されることにより、カバー係止部材２３が框本体２５側に固定されるとともに、第２補強部材２１と第１補強部材１８とが連結される。
【００４０】
カバー部材２２は、第２補強部材２１の見付け方向壁部２１ａを覆って当接される屋内カバー部２２ａと屋内カバー部２２ａの見付け方向における両端部から、第２補強部材２１とともに固定されたカバー係止部材２３の係止片２３ｃの先端に向かって延出された側方カバー部２２ｂと、側方カバー部２２ｂの先端に設けられ、係止片２３ｃに係止されるフック片２２ｃとを有している。カバー部材２２は、合成樹脂製の押出成形部材であり、第２補強部材２１及びカバー係止部材２３と同じ長さを有している。
【００４１】
カバー部材２２は、カバー係止部材２３とともに第１補強部材１８と連結された第２補強部材２１の屋外側から第２補強部材２１に被せるように配置され、カバー係止部材２３の係止片２３ｃにフック片２２ｃが係止されて取り付けられる。すなわち、第２補強部材２１及びカバー係止部材２３は、框本体２５とカバー部材２２との間に形成される空間Ｓ内に設けられている。
【００４２】
取り付けられたカバー部材２２の上下の端部には、カバー部材２２と框本体２５との間に形成された空間Ｓを覆うように端部キャップ２４が設けられ、カバー係止部材２３に設けられたビスホール２３ｄに螺合されるビスにて固定されている。
【００４３】
本実施形態の建具１によれば、内障子３の内召合せ框２０が有する中空部１１ａ内に長手方向に沿って設けられる第１補強部材１８と、框本体２５の屋内側に設けられたカバー部材２２との間に形成された空間Ｓ内に長手方向に沿って設けられた第２補強部材２１とが連結されているので、内召合せ框２０の中空部１１ａ内のみに補強部材が設けられている場合より、高い剛性を備えることが可能である。このため、屋内外を仕切る内障子３に風圧が作用しても内召合せ框２０に撓みや捻れが生じにくい。よって、風圧等により撓みや捻れが生じ難い内障子３を備えた建具１を提供することが可能である。
【００４４】
また、框本体２５の屋内側に設けられる第２補強部材２１及びカバー係止部材２３は、框本体２５とカバー部材２２との間の空間Ｓに設けられているので、第２補強部材２１及びカバー係止部材２３は屋内側に露出しない。このとき、鉄製の第２補強部材２１は、加工しやすい簡単な形状として内召合せ框２０の剛性を高めるために機能させ、第２補強部材２１を覆うカバー部材２２を係止するカバー係止部材２３をアルミニウム製とすることによりカバー部材２２を係止するために好適な形状に加工することが可能となる。このため、内召合せ框２０に高い剛性を備えるとともに優れた意匠性を備えることが可能である。すなわち、意匠性に優れ、かつ、より高い剛性の内召合せ框２０を有する内障子３を備えた建具１を提供することが可能である。
【００４５】
更に、カバー係止部材２３は、第２補強部材２１とともに第１補強部材１８と連結されているので、より少ない組立工数にてカバー係止部材２３を設けることができ、確実にカバー部材２２を係止することが可能である。
【００４６】
複層ガラス２の周縁部を収容する面材収容部１０ａには、中空部１１ａのように補強部材が設けられていないので、剛性が低くなるが、本実施形態の建具１は、第２補強部材２１が、内召合せ框２０の、中空部１１ａを形成する部位と面材収容部１０ａを形成する部位としてのガラス当接部１１ｃに跨るとともに対向するように設けられているので、面材収容部１０ａ側の剛性も高めることが可能である。
【００４７】
また、第２補強部材２１が、見付け方向壁部２１ａの両端部から見込み方向に沿って延出された見込み方向壁部２１ｂを有する形状、すなわち、平面視コ字状をなしているので、より高い剛性を備えることが可能である。また、見付け方向壁部２１ａは、框本体２５と見込み方向に間隔を隔てて配置されて、第１補強部材１８と連結されているので、第１補強部材１８と第２補強部材２１とが連結された形状は、見込み方向の距離が長くなる。これにより断面二次モーメントが大きくなるため、第１補強部材１８と第２補強部材２１とが独立している場合より高い剛性を備えることが可能である。また、第２補強部材２１の見込み方向壁部２１ｂはアルミニウム製のカバー係止部材２３に当接されて、見込み方向壁部２１ｂが框本体２５に接触しないので、框本体２５の損傷を防止することが可能である。
【００４８】
框本体２５と、上框１１及び下框１１とは互いの端部を斜めに切断した小口を突き合わせて溶着されるので、框本体２５と上框１１及び下框１１とがヒーター等にて溶融された後に突き合わされて溶着される。このため、中空部１１ａに設けられる第１補強部材１８は、框本体２５から突出することはできない。すなわち、第１補強部材１８は、框本体２５と上框１１及び下框１１とに跨らないので、第１補強部材１８だけでは、框本体２５と上框１１及び下框１１との接合部を補強することができない。本実施形態の建具１は、第２補強部材２１が、上框１１及び下框１１に跨るように設けられているので、第１補強部材１８だけでは補強できない框本体２５と上框１１及び下框１１との接合部を、第２補強部材２１により補強することが可能である。
【００４９】
上記実施形態においては、カバー係止部材２３を、第２補強部材２１及びカバー部材２２と同様に、上下方向に沿って框本体２５とほぼ同じ長さに形成されている例について説明したが、これに限るものではない。例えば、図５に示すように、上下方向の長さが第２補強部材２１及びカバー部材２２より十分に短い、ピース状のカバー係止部材２７を框本体２５と第２補強部材２１との間に、上下方向に互いに間隔を隔てて複数設けてもよい。
【００５０】
また、第２補強部材２１を、１枚の板金を折り曲げて形成したような平面視コ字状の部材として説明したが、例えば、図６に示すように、見付け方向壁部２１ａに、当該見付け方向壁部２１ａと見込み方向に重なるような鉄製の平板２８を溶着することにより、更に剛性を高めることが可能である。このとき、重ね合わせる鉄製の平板２８は１枚に限るものではない。
【００５１】
また、上記実施形態においては、第１補強部材１８を、１枚の板金を折り曲げて形成したような平面視コ字状の部材として説明したが、第１補強部材は、少なくとも第２補強部材２１の見付け方向壁部２１ａと対向する見付け方向壁部を有していれば良く、例えば、鉄製の平板であっても、また、Ｌ字状に曲げられた２枚の板材を対向させて溶接し断面が矩形状をなすように形成された部材であっても構わない。
【００５２】
上記実施形態においては、内障子３と外障子４との２枚の障子を有する引き違い方式の建具１を例に挙げて説明したが、これに限るものではない。例えば、引き戸をなす３枚以上の障子が設けられた連窓サッシであっても構わない。この場合には、見込み方向に隣り合う２枚の障子のうち、屋内側に位置する障子の召合せ框に、第２補強部材、カバー部材、カバー係止部材を設けて補強することが望ましい。また、引き戸をなす一枚の障子が袖壁等の室内側にて見付け方向に移動可能に設けられた片引き窓や、開口の一部が固定された面材にて覆われており、覆われていない部分を覆おう移動可能な障子が設けられている建具であっても構わない。このとき、固定されている面材が、框体を備えた障子を固定して設けられている場合には、固定されている障子の召合せ框も、第２補強部材、カバー部材、カバー係止部材を設けて補強することが望ましい。
【００５３】
上記実施形態においては、カバー係止部材２３をアルミニウム製とし、第１補強部材１８及び第２補強部材２１を鉄製としたが、これに限らず、第１補強部材１８及び第２補強部材２１を、カバー係止部材２３より剛性が高い材質とすることにより、内召合せ框２０の剛性を高めつつも、適宜形状のカバー係止部材２３を備えて、第２補強部材２１をカバー部材２２にて覆うことが可能である。
【００５４】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５５】
１  建具、２  複層ガラス、３  内障子、４  外障子、５  枠体、
１０  框体、１０ａ  面材収容部、１１  框、１１ａ  中空部、
１８  第１補強部材、２０  内召合せ框、２１  第２補強部材、
２１ａ  見付け方向壁部、２１ｂ  見込み方向壁部、
２１ｃ  見込み方向壁部の先端、２２  カバー部材、
２３  カバー係止部材、２５  框本体、２７  カバー係止部材、
２８  平板
【図１】
2014167214.tif 000003
【図２】
2014167214.tif 000004
【図３】
2014167214.tif 000005
【図４】
2014167214.tif 000006
【図５】
2014167214.tif 000007
【図６】
2014167214.tif 000008